(57)【要約】【課題】  側面部の下端から連設された片部を組み合わせて底面部を構成する箱において、別体の板状部を必要とすることなく内底面を平面状にすることができ、また、内底面を平面状にするための部材が脱落することのない箱を提供する。【解決手段】  側板部１８の下端から折れ線を介して内側底面部４０が連設されているとともに、側板部１６の下端から折れ線を介して片部３６が連設され、側板部１４の下端から折れ線を介して片部３２が連設され、側板部１２の下端から折れ線を介して片部３４が連設されている。片部３２と片部３４と片部３６とを組み合わせることにより、外側底面部が構成される。【選択図】        図３
0003111004.tif 000002
【実用新案登録請求の範囲】
【請求項１】
箱であって、
箱の側面を形成する側面部で、
第１側板部と、第１側板部の側端に折れ線を介して連設された第２側板部と、第２側板部の側端に折れ線を介して連設された第３側板部と、第３側板部の側端に折れ線を介して連設された第４側板部とを有し、該第１側板部と該第２側板部と該第３側板部と該第４側板部とで筒状に形成された側面部と、
該第１側板部と該第２側板部と該第３側板部と該第４側板部のいずれかの下端から折れ線を介して連設された内側底面部と、
該内側底面部が連設された側板部の一方の側に隣接する側板部の下端から折れ線を介して連設された第１片部と、
該内側底面部が連設された側板部に相対する側板部の下端から折れ線を介して連設された第２片部と、
該内側底面部が連設された側板部の他方の側に隣接する側板部の下端から折れ線を介して連設された第３片部と、
を有し、
該第１片部を該第２片部に係止させるとともに、該第３片部を該第２片部に係止させることにより、該第１片部と該第２片部と該第３片部とで外側底面部が形成されることを特徴とする箱。
【請求項２】
箱であって、
箱の側面を形成する側面部で、
第１側板部と、第１側板部の側端に折れ線を介して連設された第２側板部と、第２側板部の側端に折れ線を介して連設された第３側板部と、第３側板部の側端に折れ線を介して連設された第４側板部とを有し、該第１側板部と該第２側板部と該第３側板部と該第４側板部とで筒状に形成された側面部と、
該第１側板部の下端から折れ線を介して連設された内側底面部と、
該第２側板部の下端から折れ線を介して連設された第１片部と、
該第３側板部の下端から折れ線を介して連設された第２片部と、
該第４側板部の下端から折れ線を介して連設された第３片部と、
を有し、
該第１片部を該第２片部に係止させるとともに、該第３片部を該第２片部に係止させることにより、該第１片部と該第２片部と該第３片部とで外側底面部が形成されることを特徴とする箱。
【請求項３】
上記第１側板部と上記第２側板部と上記第３側板部と上記第４側板部が方形状を呈していて、箱の組立て状態では、第１側板部と第３側板部が略平行に設けられるとともに、第２側板部と第４側板部とが略平行に設けられており、上記内側底面部は、方形状を呈していることを特徴とする請求項１又は２に記載の箱。
【請求項４】
箱であって、
箱の側面を形成する側面部で、
方形状を呈する第１側板部と、第１側板部の側端に折れ線を介して連設された方形状を呈する第２側板部と、第２側板部の側端に折れ線を介して連設された方形状を呈する第３側板部と、第３側板部の側端に折れ線を介して連設された方形状を呈する第４側板部とを有し、該第１側板部と該第２側板部と該第３側板部と該第４側板部とで筒状に形成され、箱の組立て状態においては、第１側板部と第３側板部が略平行に設けられるとともに、第２側板部と第４側板部とが略平行に設けられた側面部と、
該第１側板部の下端から折れ線を介して連設された方形状を呈する内側底面部と、
該第２側板部の下端から折れ線を介して連設された第１片部と、
該第３側板部の下端から折れ線を介して連設された第２片部と、
該第４側板部の下端から折れ線を介して連設された第３片部と、
を有し、
該第１片部を該第２片部に係止させるとともに、該第３片部を該第２片部に係止させることにより、該第１片部と該第２片部と該第３片部とで外側底面部が形成されることを特徴とする箱。
【請求項５】
上記第２片部が、第２片部に連設した側板部側とは反対側から突出した突出部で、両側に形成された第１突出部と第２突出部と、該第１突出部と第２突出部間に設けられた第３突出部とを有する突出部で、第１突出部と第３突出部間には第１切欠部が形成され、第２突出部と第３突出部間には第２切欠部が形成された突出部を有し、また、上記第１片部は、箱の組立て状態において該第１切欠部の位置に係止するための第４突出部を有し、また、上記第３片部は、箱の組立て状態において該第２切欠部の位置に係止するための第５突出部を有していることを特徴とする請求項１又は２又は３又は４に記載の箱。
【請求項６】
上記側面部を構成するいずれかの側板部の上端から蓋部が折れ線を介して連設されていて、箱が蓋付きの箱であることを特徴とする請求項１又は２又は３又は４又は５に記載の箱。
【請求項７】
上記箱がファイルボックスとしての箱であり、側面部の上端が開口していることを特徴とする請求項１又は２又は３又は４又は５に記載の箱。
【請求項８】
箱におけるいずれかの面に箱の組立て方法が記載されていることを特徴とする請求項１又は２又は３又は４又は５又は６又は７に記載の箱。
【考案の詳細な説明】
【技術分野】
【０００１】
本考案は、箱に関するものであり、特に、側面部から連設された複数の片部を組み合わせて底面部を構成する箱に関するものである。
【背景技術】
【０００２】
従来より、側面部の下端から連設された片部を組み合わせて底面部を構成する箱が存在する。すなわち、Ｂ式底組みタイプの箱Ｂは、図７、図８に示すように構成され、箱Ｂの底面は、４つの側面部２１２〜２１８の下端から連設された４つの片部２３２〜２３８を組み合わせることにより構成される。つまり、側面部２１２の下端からは片部２３２が連設され、側面部２１４の下端からは片部２３４が連設され、側面部２１６の下端からは片部２３６が連設され、側面部２１８の下端からは片部２３８が連設されていて、各片部を組み合わせることにより底面部が構成される。なお、上記のようなＢ式底組みの形式は、アメリカンロックや地獄底とも呼ばれている。
【０００３】
なお、出願人は、先行技術文献の調査は行っておらず、記載すべき先行技術文献は存在しない。
【考案の開示】
【考案が解決しようとする課題】
【０００４】
しかし、図７、図８に示すようなＢ式底組みタイプの箱Ｂにおいては、箱Ｂの底面部が各側面部の下端から連設された片部を組み合わせることにより構成されるので、箱Ｂの内底面を平面状にしたい場合には、図７に示すように、板状部２４０を別体として用意して、箱Ｂ内の内底部に設ける必要がある。このように板状部２４０が別途必要になるので、板状部２４０の分だけコストが掛かり、また、板状部２４０を箱Ｂ内に設置する工程が必要になるため組立て工数がその分多くなる。さらに、板状部２４０は箱Ｂ内には固定されないので、板状部２４０が箱Ｂ内から脱落しやすく不便である。
【０００５】
そこで、本考案が解決しようとする問題点は、側面部の下端から連設された片部を組み合わせて底面部を構成する箱において、別体の板状部を必要とすることなく内底面を平面状にすることができ、また、内底面を平面状にするための部材が脱落することのない箱を提供することである。
【課題を解決するための手段】
【０００６】
本考案は上記問題点を解決するために創作されたものであって、第１には、箱であって、箱の側面を形成する側面部で、第１側板部と、第１側板部の側端に折れ線を介して連設された第２側板部と、第２側板部の側端に折れ線を介して連設された第３側板部と、第３側板部の側端に折れ線を介して連設された第４側板部とを有し、該第１側板部と該第２側板部と該第３側板部と該第４側板部とで筒状に形成された側面部と、該第１側板部と該第２側板部と該第３側板部と該第４側板部のいずれかの下端から折れ線を介して連設された内側底面部と、該内側底面部が連設された側板部の一方の側に隣接する側板部の下端から折れ線を介して連設された第１片部と、該内側底面部が連設された側板部に相対する側板部の下端から折れ線を介して連設された第２片部と、該内側底面部が連設された側板部の他方の側に隣接する側板部の下端から折れ線を介して連設された第３片部と、を有し、該第１片部を該第２片部に係止させるとともに、該第３片部を該第２片部に係止させることにより、該第１片部と該第２片部と該第３片部とで外側底面部が形成されることを特徴とする。
【０００７】
この第１の構成の箱においては、第１片部と第２片部と第３片部とが組み合わされて外側底面部が形成されるが、その内側に内側底面部が設けられているので、この内側底面部により内底が平面状となり、被収納物を収納しやすく、形が崩れやすい被収納物を収納した場合でも該被収納物の形が崩れる等の支障がない。また、箱をファイルボックスに使用した場合でも、内底が平面状となっているので、ファイルを整理した状態で収納しておくことができる。また、内側底面部が箱に一体に設けられているので、別体の板状部を必要とせずコストの低減や組立て工数の低減を図ることができる。また、内側底面部は、第１側板部から折れ線を介して連設されて箱と一体に形成されているので、脱落することがない。
【０００８】
また、第２には、箱であって、箱の側面を形成する側面部で、第１側板部と、第１側板部の側端に折れ線を介して連設された第２側板部と、第２側板部の側端に折れ線を介して連設された第３側板部と、第３側板部の側端に折れ線を介して連設された第４側板部とを有し、該第１側板部と該第２側板部と該第３側板部と該第４側板部とで筒状に形成された側面部と、該第１側板部の下端から折れ線を介して連設された内側底面部と、該第２側板部の下端から折れ線を介して連設された第１片部と、該第３側板部の下端から折れ線を介して連設された第２片部と、該第４側板部の下端から折れ線を介して連設された第３片部と、を有し、該第１片部を該第２片部に係止させるとともに、該第３片部を該第２片部に係止させることにより、該第１片部と該第２片部と該第３片部とで外側底面部が形成されることを特徴とする。
【０００９】
この第２の構成の箱においては、第１片部と第２片部と第３片部とが組み合わされて外側底面部が形成されるが、その内側に内側底面部が設けられているので、この内側底面部により内底が平面状となり、被収納物を収納しやすく、形が崩れやすい被収納物を収納した場合でも該被収納物の形が崩れる等の支障がない。また、箱をファイルボックスに使用した場合でも、内底が平面状となっているので、ファイルを整理した状態で収納しておくことができる。また、内側底面部が箱に一体に設けられているので、別体の板状部を必要とせずコストの低減や組立て工数の低減を図ることができる。また、内側底面部は、第１側板部から折れ線を介して連設されて箱と一体に形成されているので、脱落することがない。
【００１０】
また、第３には、上記第１又は第２の構成において、上記第１側板部と上記第２側板部と上記第３側板部と上記第４側板部が方形状を呈していて、箱の組立て状態では、第１側板部と第３側板部が略平行に設けられるとともに、第２側板部と第４側板部とが略平行に設けられており、上記内側底面部は、方形状を呈していることを特徴とする。
【００１１】
また、第４には、箱であって、箱の側面を形成する側面部で、方形状を呈する第１側板部と、第１側板部の側端に折れ線を介して連設された方形状を呈する第２側板部と、第２側板部の側端に折れ線を介して連設された方形状を呈する第３側板部と、第３側板部の側端に折れ線を介して連設された方形状を呈する第４側板部とを有し、該第１側板部と該第２側板部と該第３側板部と該第４側板部とで筒状に形成され、箱の組立て状態においては、第１側板部と第３側板部が略平行に設けられるとともに、第２側板部と第４側板部とが略平行に設けられた側面部と、該第１側板部の下端から折れ線を介して連設された方形状を呈する内側底面部と、該第２側板部の下端から折れ線を介して連設された第１片部と、該第３側板部の下端から折れ線を介して連設された第２片部と、該第４側板部の下端から折れ線を介して連設された第３片部と、を有し、該第１片部を該第２片部に係止させるとともに、該第３片部を該第２片部に係止させることにより、該第１片部と該第２片部と該第３片部とで外側底面部が形成されることを特徴とする。
【００１２】
この第４の構成の箱においては、第１片部と第２片部と第３片部とが組み合わされて外側底面部が形成されるが、その内側に内側底面部が設けられているので、この内側底面部により内底が平面状となり、被収納物を収納しやすく、形が崩れやすい被収納物を収納した場合でも該被収納物の形が崩れる等の支障がない。また、箱をファイルボックスに使用した場合でも、内底が平面状となっているので、ファイルを整理した状態で収納しておくことができる。また、内側底面部が箱に一体に設けられているので、別体の板状部を必要とせずコストの低減や組立て工数の低減を図ることができる。また、内側底面部は、第１側板部から折れ線を介して連設されて箱と一体に形成されているので、脱落することがない。
【００１３】
また、第５には、上記第１から第４までのいずれかの構成において、上記第２片部が、第２片部に連設した側板部側とは反対側から突出した突出部で、両側に形成された第１突出部と第２突出部と、該第１突出部と第２突出部間に設けられた第３突出部とを有する突出部で、第１突出部と第３突出部間には第１切欠部が形成され、第２突出部と第３突出部間には第２切欠部が形成された突出部を有し、また、上記第１片部は、箱の組立て状態において該第１切欠部の位置に係止するための第４突出部を有し、また、上記第３片部は、箱の組立て状態において該第２切欠部の位置に係止するための第５突出部を有していることを特徴とする。上記のような構成とすることにより、第１片部が第２片部に係止し、第３片部が第２片部に係止して外側底面部の状態を良好に維持することができる。
【００１４】
また、第６には、上記第１から第５までのいずれかの構成において、上記側面部を構成するいずれかの側板部の上端から蓋部が折れ線を介して連設されていて、箱が蓋付きの箱であることを特徴とする。
【００１５】
また、第７には、上記第１から第５までのいずれかの構成において、上記箱がファイルボックスとしての箱であり、側面部の上端が開口していることを特徴とする。
【００１６】
また、第８には、上記第１から第７までのいずれかの構成において、箱におけるいずれかの面に箱の組立て方法が記載されていることを特徴とする。
【考案の効果】
【００１７】
本考案に基づく箱によれば、第１片部と第２片部と第３片部とが組み合わされて外側底面部が形成されるが、その内側に内側底面部が設けられているので、この内側底面部により内底が平面状となり、被収納物を収納しやすく、形が崩れやすい被収納物を収納した場合でも該被収納物の形が崩れる等の支障がない。また、箱をファイルボックスに使用した場合でも、内底が平面状となっているので、ファイルを整理した状態で収納しておくことができる。また、内側底面部が箱に一体に設けられているので、別体の板状部を必要とせずコストの低減や組立て工数の低減を図ることができる。また、内側底面部は、第１側板部から折れ線を介して連設されて箱と一体に形成されているので、脱落することがない。
【考案を実施するための最良の形態】
【００１８】
本考案においては、側面部の下端から連設された片部を組み合わせて底面部を構成する箱において、別体の板状部を必要とすることなく内底面を平面状にすることができ、また、内底面を平面状にするための部材が脱落することのない箱を提供するという目的を以下のようにして実現した。
【実施例１】
【００１９】
本考案の実施例１に基づく箱Ａ１は、図１、図２に示すように構成され、側面部１０と、外側底面部３０と、内側底面部４０と、蓋部５０と、片部５６、５８を有している。側面部１０は、側板部１２、１４、１６、１８等を有している。側面部１０は全体に筒状を呈し、側板部１２と側板部１６は互いに略平行となっており、側板部１４と側板部１８は互いに略平行となっている。側面部１０の詳細は後述する。また、外側底面部３０は、片部（第２片部）３２と、片部（第３片部）３４と、片部（第１片部）３６とから構成されている。
【００２０】
この箱Ａ１の詳細について、展開状態を示す図３を主として利用して説明する。箱Ａ１は、図３に示す展開状態の板状部材（例えば、段ボール材等の紙材）を組み立てることにより形成されたものであり、段ボール材等の板状の部材を図３に示す形状に形成して組み立てることにより、箱Ａ１が形成される。なお、図３において、一点鎖線は山折りの折れ線を示す。
【００２１】
まず、側面部１０は、側板部（第４側板部）１２と、側板部（第３側板部）１４と、側板部（第２側板部）１６と、側板部（第１側板部）１８と、糊代部２０とを有している。これらの各側板部は、略方形状を呈していて、側板部１２と側板部１６は略同大同形状であり、側板部１４と側板部１８は略同大同形状となっている。
【００２２】
まず、側板部１２は、略方形状（具体的には、長方形状）の板状を呈している。また、側板部１４は、側板部１２の側端から折れ線を介して連設され、略方形状（具体的には、長方形状）を呈している。また、側板部１６は、側板部１４の側板部１２側とは反対側の端部（側端）から折れ線を介して連設され、略方形状（具体的には、長方形状）を呈している。また、側板部１８は、側板部１６の側板部１４側とは反対側の端部（側端）から折れ線を介して連設され、略方形状（具体的には、長方形状）を呈している。また、糊代部２０は、側板部１８の側板部１６側とは反対側の端部から折れ線を介して連設されており、略台形形状を呈している。この糊代部２０の図３における表側に接着剤が塗布されて、側板部１２の裏側に糊代部２０が接着されることになる。
【００２３】
また、外側底面部３０は、上記のように、片部３２と、片部３４と、片部３６とから構成されている。
【００２４】
ここで、片部３２は、側板部１４の下端から折れ線を介して連設され、基端部３２ａと、突出部（第１突出部）３２ｂと、突出部（第３突出部）３２ｃと、突出部（第２突出部）３２ｄとを有している。
【００２５】
この基端部３２ａは、横長長方形状を呈し、その幅（Ｘ１−Ｘ２方向の幅）は、側板部１４のＸ１−Ｘ２方向の幅よりも若干短く形成され、側板部１４の端部と基端部３２ａの端部とは若干隙間が形成されている。
【００２６】
また、突出部３２ｂは、基端部３２ａの下端で側方（Ｘ１側の側方）の端部から下方に連設されていて、略台形形状を呈している。なお、この突出部３２ｂの側方の辺部（Ｘ１側の辺部）は、基端部３２ａの側方の辺部（Ｘ１側の辺部）の直線状の延長線上にある。また、突出部３２ｂのＹ１側の辺部は直線状に形成され、Ｘ２側の辺部は斜めに傾斜して形成されている。
【００２７】
また、突出部３２ｄは、基端部３２ａの下端で側方（Ｘ２側の側方）の端部から下方に連設されていて、略台形形状を呈している。なお、この突出部３２ｄの側方の辺部（Ｘ２側の辺部）は、基端部３２ａの側方の辺部（Ｘ２側の辺部）の直線状の延長線上にある。また、突出部３２ｄのＹ１側の辺部は直線状に形成され、Ｘ１側の辺部は斜めに傾斜して形成されている。
【００２８】
また、突出部３２ｃは、基端部３２ａの下方で突出部３２ｂと突出部３２ｄの間の位置に連設され、両側の傾斜部３２ｃ−１、３２ｃ−３と、傾斜部３２ｃ−１と傾斜部３２ｃ−３間に設けられた湾曲部３２ｃ−２と、基端部３２ａの端部により囲まれた形状を呈している。この突出部３２ｂと突出部３２ｃ間には、傾斜部３２ｃ−１と突出部３２ｂにおける傾斜した辺部により切欠部（第１切欠部）Ｋ１が形成されている。この切欠部Ｋ１は、略三角形状を呈している。また、突出部３２ｄと突出部３２ｃ間には、傾斜部３２ｃ−３と突出部３２ｄにおける傾斜した辺部により切欠部（第２切欠部）Ｋ２が形成されている。この切欠部Ｋ２は、略三角形状を呈している。この切欠部Ｋ１には、片部３６における突出部３６ｂが係止し、切欠部Ｋ２には、片部３４における突出部３４ｂが係止する。この突出部３２ｃは、先端にいくほど幅が小さくなるテーパ状の台形形状を呈し、傾斜部３２ｃ−１と傾斜部３２ｃ−３との間には、湾曲状に形成された辺部が形成されているといえる。
【００２９】
また、片部３４は、側板部１２の下端から折れ線を介して連設され、基端部３４ａと、突出部（第５突出部）３４ｂとを有している。この基端部３４ａは、台形形状を呈し、傾斜部３４ａ−１と傾斜部３４ａ−２とを有し、先端にいくほど細くなるテーパ状となっている。なお、傾斜部３４ａ−１が基端部３４ａの上辺となす角度α１は、傾斜部３４ａ−２が基端部３４ａの上辺となす角度α２よりも小さく、これにより、基端部３４ａの端部（Ｙ１側の端部）はＸ２側に偏った位置にある。
【００３０】
また、突出部３４ｂは、基端部３４ａの端部から下方（Ｙ１側）に連設され、全体に丸みを帯びた台形形状を呈しているが、突出部３４ｂの傾斜部３４ａ−１と隣接する辺部３４ｂ−１と、傾斜部３４ａ−１とがなす角度α３は、切欠部Ｋ２に係止するように、鈍角（具体的には、１２０度〜１３０度）に形成されている。
【００３１】
また、片部３６は、側板部１６の下端から折れ線を介して連設され、基端部３６ａと、突出部（第４突出部）３６ｂとを有している。なお、この片部３６は、片部３４と線対称の形状となっている。つまり、Ｙ１−Ｙ２方向の中心線を介して線対称となっている。
【００３２】
この基端部３６ａは、台形形状を呈し、傾斜部３６ａ−１と傾斜部３６ａ−２とを有し、先端にいくほど細くなるテーパ状となっている。なお、傾斜部３６ａ−１が基端部３６ａの上辺となす角度α１１は、傾斜部３６ａ−２が基端部３６ａの上辺となす角度α１２よりも小さく、これにより、基端部３６ａの端部（Ｙ１側の端部）はＸ１側に偏った位置にある。
【００３３】
また、突出部３６ｂは、基端部３６ａの端部から下方（Ｙ１側）に連設され、全体に丸みを帯びた台形形状を呈しているが、突出部３６ｂの傾斜部３６ａ−１と隣接する辺部３６ｂ−１と、傾斜部３６ａ−１とがなす角度α１３は、切欠部Ｋ１に係止するように、鈍角（具体的には、１２０度〜１３０度）に形成されている。
【００３４】
外側底面部３０を構成する片部３２と片部３４と片部３６とは、片部３４が片部３２に係止し、また、片部３６が片部３２に係止することにより外側底面部３０が形成される。
【００３５】
また、内側底面部４０は、側板部１８の下端から折れ線を介して連設され、方形状（具体的には、長方形状）を呈している。この内側底面部４０の長辺の幅（つまり、Ｘ１−Ｘ２方向の幅）は、側板部１８のＸ１−Ｘ２方向の幅と略同一であるが、厳密には、側板部１２〜１８により囲まれた空間内に支障なく収納されるために、内側底面部４０の長辺の幅は、側板部１８のＸ１−Ｘ２方向の幅よりも若干短く形成され、側板部１８の端部と内側底面部４０の端部とは若干隙間が形成されている。また、内側底面部４０の短辺の幅（つまり、Ｙ１−Ｙ２方向の幅）は、側板部１２、１６のＸ１−Ｘ２方向の幅と略同一であるが、厳密には、側板部１２〜１８により囲まれた空間内に支障なく収納されるために、側板部１２や側板部１６のＸ１−Ｘ２方向の幅よりも若干短く形成されている。
【００３６】
また、蓋部５０は、蓋本体部５２と、係止片部５４とを有している。この蓋本体部５２は、側板部１８の上端から折れ線を介して連設され、方形状（具体的には、長方形状）を呈している。この蓋本体部５２の長辺の幅（つまり、Ｘ１−Ｘ２方向の幅）は、側板部１８のＸ１−Ｘ２方向の幅と略同一であるが、厳密には、側板部１８のＸ１−Ｘ２方向の幅よりも若干短く形成され、側板部１８の端部と蓋本体部５２の端部とは若干隙間が形成されている。また、係止片部５４は、蓋本体部５２の側板部１８側とは反対側の端部から折れ線を介して連設され、略帯状を呈している。
【００３７】
また、片部５６は、側板部１２の上端から折れ線を介して連設され、方形状（具体的には、長方形状）を呈している。また、片部５８は、側板部１６の上端から折れ線を介して連設され、方形状（具体的には、長方形状）を呈している。
【００３８】
上記構成の箱Ａ１の組立て方法について説明する。なお、糊代部２０は、側板部１２に接着されているものとする。これにより、側面部１０は筒状となっている。
【００３９】
まず、図４に示すように、側板部１２〜１８により筒状に広げた状態で、内側底面部４０を側板部１８に対して折曲し、側板部１２〜１８により形成される開口部を塞ぐようにする。その際、片部３２、３４、３６は、図４に示すように、側板部に対して折り曲げていない状態とする。つまり、片部３２、３４、３６はまだ互いに組み合わせる前の状態とする。
【００４０】
その後、片部３２と片部３４と片部３６とを組み合わせる。つまり、片部３２を側板部１４に対して折り曲げて内側底面部４０と略平行になった状態で、片部３４を側板部１２に対して折り曲げ、片部３４の突出部３４ｂを片部３２の切欠部Ｋ２の位置に係止させる。つまり、突出部３４ｂを切欠部Ｋ２の位置から突出部３２ｃの下側に挿入して、片部３４を片部３２に対して係止させる。同様に、片部３６を側板部１６に対して折り曲げ、片部３６の突出部３６ｂを片部３２の切欠部Ｋ１の位置に係止させる。つまり、突出部３６ｂを切欠部Ｋ１の位置から突出部３２ｃの下側に挿入して、片部３６を片部３２に対して係止させる。
【００４１】
以上のようにして、片部３２と片部３４と片部３６とを組み合わせることにより、外側底面部３０が形成され、これにより、箱としての立体的形状が固定される。なお、この外側底面部３０は、図２に示すように、側板部１２〜１８により囲まれる開口部の大きさよりも小さく、内側底面部４０の一部が露出するが、この外側底面部３０と内側底面部４０とによって、箱Ａ１の底面側は被覆されることになる。
【００４２】
以上のように箱Ａ１の組立てが完了したら、箱Ａ１の内部に被収納物を収納し、蓋部５０を閉じる。被収納物の収納に際して、内底の位置に内側底面部４０が設けられているので、内底が平面状となり、被収納物を収納しやすく、形が崩れやすい被収納物を収納した場合でも該被収納物の形が崩れる等の支障がない。
【００４３】
以上のように、本実施例の箱Ａ１においては、内側底面部４０が箱Ａ１に一体に設けられているので、別体の板状部を必要とせず、コストの低減や組立て工数の低減を図ることができる。また、内側底面部４０は、側板部１８から折れ線を介して連設されて箱Ａ１と一体に形成されているので、脱落することがない。
【００４４】
なお、上記の構成において、上記の組立ての方法を箱Ａ１におけるいずれかの面に記載しておくことが望ましい。例えば、内側底面部４０の外側の面にその方法を記載する。記載の内容としては、例えば、「まず、この内側底面部を折り曲げた状態で、３つの片部を組み合わせて下さい。組み合わせの方法としては、中央の片部を内側底面部側に折り曲げて、その後、両側の片部を中央の片部の切欠部に差し込んで下さい。」とすることが考えられる。
【実施例２】
【００４５】
上記実施例１は、蓋部付きの箱についての例であるが、実施例２は、ファイルボックスとしての箱についての例である。すなわち、本考案の実施例２に基づく箱Ａ２は、図５、図６に示すように構成され、側面部１１０と、外側底面部１３０と、内側底面部１４０とを有している。側面部１１０は、側板部１１２、１１４、１１６、１１８等を有している。側面部１１０は全体に筒状を呈し、側板部１１２と側板部１１６は互いに略平行となっており、側板部１１４と側板部１１８は互いに略平行となっている。側面部１１０の詳細は後述する。この外側底面部１３０は、片部（第２片部）１３２と、片部（第３片部）１３４と、片部（第１片部）１３６とから構成されている。
【００４６】
この箱Ａ２の詳細について、展開状態を示す図６を主として利用して説明する。箱Ａ２は、図６に示す展開状態の板状部材（例えば、段ボール材等の紙材）を組み立てることにより形成されたものであり、段ボール材等の板状の部材を図６に示す形状に形成して組み立てることにより、箱Ａ２が形成される。なお、図６において、一点鎖線は山折りの折れ線を示す。
【００４７】
まず、側面部１１０は、側板部（第４側板部）１１２と、側板部（第３側板部）１１４と、側板部（第２側板部）１１６と、側板部（第１側板部）１１８と、糊代部１２０とを有している。これらの各側板部は、略方形状を呈していて、側板部１１２と側板部１１６は略同大同形状であり、側板部１１４と側板部１１８は略同大同形状となっている。
【００４８】
まず、側板部１１２は、略方形状（具体的には、長方形状）の板状を呈している。この側板部１１２の下側の領域には開口部１１２ａが形成されている。この開口部１１２ａは、円形を呈している。
【００４９】
また、側板部１１４は、側板部１１２の側端から折れ線を介して連設され、略方形状（具体的には、長方形状）を呈している。この側板部１１４の上側の領域には、開口部１１４ａが形成されている。この開口部１１４ａは、トラック形状、すなわち、長方形状の両側に半円形を設けた形状を呈している。
【００５０】
また、側板部１１６は、側板部１１４の側板部１１２側とは反対側の端部から折れ線を介して連設され、略方形状（具体的には、長方形状）を呈している。この側板部１１６の下側の領域には開口部１１６ａが形成されている。この開口部１１６ａは、円形を呈している。
【００５１】
また、側板部１１８は、側板部１１６の側板部１１４側とは反対側の端部から折れ線を介して連設され、略方形状（具体的には、長方形状）を呈している。この側板部１１８の上側の領域には、開口部１１８ａが形成されている。この開口部１１８ａは、トラック形状、すなわち、長方形状の両側に半円形を設けた形状を呈している。また、糊代部１２０は、側板部１１８の側板部１１６側とは反対側の端部から折れ線を介して連設されており、略台形形状を呈している。この糊代部１２０の図６における表側に接着剤が塗布されて、側板部１１２の裏側に糊代部１２０が接着されることになる。
【００５２】
また、外側底面部１３０は、上記のように、片部１３２と、片部１３４と、片部１３６とから構成されている。外側底面部１３０の構成は、外側底面部３０の構成と同様である。すなわち、片部１３２は片部３２と同様の構成であり、片部１３４は片部３４と同様の構成であり、片部１３６は片部３６と同様の構成である。
【００５３】
すなわち、片部１３２は、側板部１１４の下端から折れ線を介して連設され、基端部１３２ａと、突出部（第１突出部）１３２ｂと、突出部（第３突出部）１３２ｃと、突出部（第２突出部）１３２ｄとを有している。
【００５４】
この基端部１３２ａは、横長長方形状を呈し、その幅（Ｘ１−Ｘ２方向の幅）は、側板部１１４のＸ１−Ｘ２方向の幅よりも若干短く形成され、側板部１１４の端部と基端部１３２ａの端部とは若干隙間が形成されている。
【００５５】
また、突出部１３２ｂは、基端部１３２ａの下端で側方（Ｘ１側の側方）の端部から下方に連設されていて、略台形形状を呈している。なお、この突出部１３２ｂの側方の辺部（Ｘ１側の辺部）は、基端部１３２ａの側方の辺部（Ｘ１側の辺部）の直線状の延長線上にある。また、突出部１３２ｂのＹ１側の辺部は直線状に形成され、Ｘ２側の辺部は斜めに傾斜して形成されている。
【００５６】
また、突出部１３２ｄは、基端部１３２ａの下端で側方（Ｘ２側の側方）の端部から下方に連設されていて、略台形形状を呈している。なお、この突出部１３２ｄの側方の辺部（Ｘ２側の辺部）は、基端部１３２ａの側方の辺部（Ｘ２側の辺部）の直線状の延長線上にある。また、突出部１３２ｄのＹ１側の辺部は直線状に形成され、Ｘ１側の辺部は斜めに傾斜して形成されている。
【００５７】
また、突出部１３２ｃは、基端部１３２ａの下方で突出部１３２ｂと突出部１３２ｄの間の位置に連設され、両側の傾斜部１３２ｃ−１、１３２ｃ−３と、傾斜部１３２ｃ−１と傾斜部１３２ｃ−３間に設けられた湾曲部１３２ｃ−２と、基端部１３２ａの端部により囲まれた形状を呈している。この突出部１３２ｂと突出部１３２ｃ間には、傾斜部１３２ｃ−１と突出部１３２ｂにおける傾斜した辺部により切欠部（第１切欠部）Ｋ１１が形成されている。この切欠部Ｋ１１は、略三角形状を呈している。また、突出部１３２ｄと突出部１３２ｃ間には、傾斜部１３２ｃ−３と突出部１３２ｄにおける傾斜した辺部により切欠部Ｋ１２が形成されている。この切欠部（第２切欠部）Ｋ１２は、略三角形状を呈している。この切欠部Ｋ１１には、片部１３６における突出部１３６ｂが係止し、切欠部Ｋ１２には、片部１３４における突出部１３４ｂが係止する。この突出部１３２ｃは、先端にいくほど幅が小さくなるテーパ状の台形形状を呈し、傾斜部１３２ｃ−１と傾斜部１３２ｃ−３との間には、湾曲状に形成された辺部が形成されているといえる。
【００５８】
また、片部１３４は、側板部１１２の下端から折れ線を介して連設され、基端部１３４ａと、突出部（第５突出部）１３４ｂとを有している。この基端部１３４ａは、台形形状を呈し、傾斜部１３４ａ−１と傾斜部１３４ａ−２とを有し、先端にいくほど細くなるテーパ状となっている。なお、傾斜部１３４ａ−１が基端部１３４ａの上辺となす角度α１は、傾斜部１３４ａ−２が基端部１３４ａの上辺となす角度α２よりも小さく、これにより、基端部１３４ａの端部（Ｙ１側の端部）はＸ２側に偏った位置にある。
【００５９】
また、突出部１３４ｂは、基端部１３４ａの端部から下方（Ｙ１側）に連設され、全体に丸みを帯びた台形形状を呈しているが、突出部１３４ｂの傾斜部１３４ａ−１と隣接する辺部１３４ｂ−１と、傾斜部１３４ａ−１とがなす角度α３は、切欠部Ｋ１２に係止するように、鈍角（具体的には、１２０度〜１３０度）に形成されている。
【００６０】
また、片部１３６は、側板部１１６の下端から折れ線を介して連設され、基端部１３６ａと、突出部（第４突出部）１３６ｂとを有している。なお、この片部１３６は、片部１３４と線対称の形状となっている。つまり、Ｙ１−Ｙ２方向の中心線を介して線対称となっている。
【００６１】
この基端部１３６ａは、台形形状を呈し、傾斜部１３６ａ−１と傾斜部１３６ａ−２とを有し、先端にいくほど細くなるテーパ状となっている。なお、傾斜部１３６ａ−１が基端部１３６ａの上辺となす角度α１１は、傾斜部１３６ａ−２が基端部１３６ａの上辺となす角度α１２よりも小さく、これにより、基端部１３６ａの端部（Ｙ１側の端部）はＸ１側に偏った位置にある。
【００６２】
また、突出部１３６ｂは、基端部１３６ａの端部から下方（Ｙ１側）に連設され、全体に丸みを帯びた台形形状を呈しているが、突出部１３６ｂの傾斜部１３６ａ−１と隣接する辺部１３６ｂ−１と、傾斜部１３６ａ−１とがなす角度α１３は、切欠部Ｋ１１に係止するように、鈍角（具体的には、１２０度〜１３０度）に形成されている。
【００６３】
外側底面部１３０を構成する片部１３２と片部１３４と片部１３６とは、片部１３４が片部１３２に係止し、また、片部１３６が片部１３２に係止することにより外側底面部１３０が形成される。
【００６４】
また、内側底面部１４０は、側板部１１８の下端から折れ線を介して連設され、方形状（具体的には、長方形状）を呈している。この内側底面部１４０の長辺の幅（つまり、Ｘ１−Ｘ２方向の幅）は、側板部１１８のＸ１−Ｘ２方向の幅と略同一であるが、厳密には、側板部１１２〜１１８により囲まれた空間内に支障なく収納されるために、内側底面部１４０の長辺の幅は、側板部１１８のＸ１−Ｘ２方向の幅よりも若干短く形成され、側板部１１８の端部と内側底面部１４０の端部とは若干隙間が形成されている。また、内側底面部１４０の短辺の幅（つまり、Ｙ１−Ｙ２方向の幅）は、側板部１１２、１１６のＸ１−Ｘ２方向の幅と略同一であるが、厳密には、側板部１１２〜１１８により囲まれた空間内に支障なく収納されるために、側板部１１２や側板部１１６のＸ１−Ｘ２方向の幅よりも若干短く形成されている。
【００６５】
また、各側板部の上端には、折り返して側板部の内側に固定することにより側板部の強度を保つための片部が形成されている。つまり、側板部１１２の上端には折れ線を介して片部１２２が形成され、側板部１１４の上端には折れ線を介して片部１２４が形成され、側板部１１６の上端には折れ線を介して片部１２６が形成され、側板部１１８の上端には折れ線を介して片部１２８が形成されている。
【００６６】
片部１２２は、方形状の両側の上端に突出部１２２ａと突出部１２２ｂが設けられた形状を呈している。突出部１２２ａ、１２２ｂは、縦長の長方形状を呈している。
【００６７】
また、片部１２４は、方形状の両側の上端に切欠部１２４ｂと切欠部１２４ｃが設けられた形状を呈している。切欠部１２４ｂ、１２４ｃは、縦長の長方形状を呈している。また、この片部１２４には、側板部１１４の内側に折り返した際に側板部１１４の開口部１１４ａに対応する位置に開口部１２４ａが設けられている。この開口部１２４ａは、開口部１１４ａと同大同形状となっていて、トラック形状、すなわち、長方形状の両側に半円形を設けた形状を呈している。
【００６８】
また、片部１２６は、方形状の両側の上端に突出部１２６ａと突出部１２６ｂが設けられた形状を呈している。突出部１２６ａ、１２６ｂは、縦長の長方形状を呈している。
【００６９】
また、片部１２８は、方形状の両側の上端に切欠部１２８ｂと切欠部１２８ｃが設けられた形状を呈している。切欠部１２８ｂ、１２８ｃは、縦長の長方形状を呈している。また、この片部１２８には、側板部１１８の内側に折り返した際に側板部１１８の開口部１１８ａに対応する位置に開口部１２８ａが設けられている。この開口部１２８ａは、開口部１１８ａと同大同形状となっていて、トラック形状、すなわち、長方形状の両側に半円形を設けた形状を呈している。
【００７０】
なお、片部１２２〜１２８を各側板部の内側に折り返した際に、突出部１２２ａは切欠部１２８ｃに嵌合し、突出部１２２ｂが切欠部１２４ｂに嵌合し、突出部１２６ａが切欠部１２４ｃに嵌合し、突出部１２６ｂが切欠部１２８ｂに嵌合することにより、片部１２２〜１２８が、各側板部の内側に折り返した状態で固定されるように構成されている。
【００７１】
上記構成の箱Ａ２の組立て方法について説明する。なお、糊代部１２０は、側板部１１２に接着され、また、片部１２２〜１２８は、各側板部の内側に固着されているものとする。なお、糊代部１２０が側板部１１２に接着されていることにより、側面部１１０は筒状となっている。
【００７２】
箱Ａ２における底面部の形成の方法は、上記実施例１の場合と同様である。すなわち、側板部１１２〜１１８により筒状に広げた状態で、内側底面部１４０を側板部１１８に対して折曲し、側板部１１２〜１１８により形成される開口部を塞ぐようにする。その際、片部１３２、１３４、１３６は、側板部に対して折り曲げていない状態とする。つまり、片部１３２、１３４、１３６はまだ互いに組み合わせる前の状態とする。
【００７３】
その後、片部１３２と片部１３４と片部１３６とを組み合わせる。つまり、片部１３２を側板部１１４に対して折り曲げて内側底面部１４０と略平行になった状態で、片部１３４を側板部１１２に対して折り曲げ、片部１３４の突出部１３４ｂを片部１３２の切欠部Ｋ１２の位置に係止させる。つまり、突出部１３４ｂを切欠部Ｋ１２の位置から突出部１３２ｃの下側に挿入して、片部１３４を片部１３２に対して係止させる。同様に、片部１３６を側板部１１６に対して折り曲げ、片部１３６の突出部１３６ｂを片部１３２の切欠部Ｋ１１の位置に係止させる。つまり、突出部１３６ｂを切欠部Ｋ１１の位置から突出部１３２ｃの下側に挿入して、片部１３６を片部１３２に対して係止させる。
【００７４】
以上のようにして、片部１３２と片部１３４と片部１３６とを組み合わせることにより、外側底面部１３０が形成され、これにより、箱としての立体的形状が固定される。なお、この外側底面部１３０は、側板部１１２〜１１８により囲まれる開口部の大きさよりも小さく、内側底面部１４０の一部が露出するが、この外側底面部１３０と内側底面部１４０とによって、箱Ａ２の底面側は被覆されることになる。
【００７５】
また、片部１２２〜１２８は、各側板部に対して内側に折り返して、片部１２２、１２６の突出部を片部１２４、１２８の切欠部に嵌合させて、片部１２２〜１２８を側板部の内側に固定する。
【００７６】
以上のように箱Ａ２の組立てが完了したら、箱Ａ２の内部に被収納物を収納して使用する。この箱Ａ２は、ファイルボックスとして使用されるものであるので、具体的には、ファイルを内部に収納して使用する。本実施例の箱Ａ２においては、被収納物の収納に際して、内底の位置に内側底面部１４０が設けられているので、内底が平面状となり、被収納物を収納しやすく、特に、ファイルを収納した場合に、ファイルを整理した状態で収納しておくことができる。つまり、収納したファイルの上端が平滑状になり凹凸にならないので、見栄えがよく、また、ファイルにおいて書類を検索する際にも便利となる。
【００７７】
以上のように、本実施例の箱Ａ２においては、内側底面部１４０が箱Ａ２に一体に設けられているので、別体の板状部を必要とせず、コストの低減や組立て工数の低減を図ることができる。また、内側底面部１４０は、側板部１１８から折れ線を介して連設されて箱Ａ２と一体に形成されているので、脱落することがない。
【００７８】
なお、上記の構成において、上記の組立ての方法を箱Ａ２におけるいずれかの面に記載しておくことが望ましい。例えば、内側底面部１４０の外側の面にその方法を記載する。記載の内容としては、例えば、「まず、この内側底面部を折り曲げた状態で、３つの片部を組み合わせて下さい。組み合わせの方法としては、中央の片部を内側底面部側に折り曲げて、その後、両側の片部を中央の片部の切欠部に差し込んで下さい。」とすることが考えられる。
【００７９】
なお、上記の説明において、外側底面部３０、１３０の構成は図３や図６に示す構成であるとしたが、片部３６を片部３２に係止させ、片部３４を片部３２に係止させるものであればよく（実施例２においては、片部１３６を片部１３２に係止させ、片部１３４を片部１３２に係止させるものであればよい）、さらには、３つの片部を組み合わせて外側底面部としての状態を維持できるものであればよい。
【００８０】
また、上記の説明においては、図３に示すように、箱の展開状態において、側板部１８の側端に側板部１６が連設し、側板部１６の側端に側板部１４が連設し、側板部１４の側端に側板部１２が連設しているとして説明したが、側板部１２〜１８を筒状に形成した場合に、結果として、側板部１８の側端に側板部１６が連設し、側板部１６の側端に側板部１４が連設し、側板部１４の側端に側板部１２が連設した構成であればよく、例えば、展開状態において、側板部１２が側板部１８の左側の側端に連設され、側板部１８の下端に片部３４が連設された構成であってもよい。また、同様に、図６に示すように、箱の展開状態において、側板部１１８の側端に側板部１１６が連設し、側板部１１６の側端に側板部１１４が連設し、側板部１１４の側端に側板部１１２が連設しているとして説明したが、側板部１１２〜１１８を筒状に形成した場合に、結果として、側板部１１８の側端に側板部１１６が連設し、側板部１１６の側端に側板部１１４が連設し、側板部１１４の側端に側板部１１２が連設した構成であればよく、例えば、展開状態において、側板部１１２が側板部１１８の左側の側端に連設され、側板部１１８の下端に片部１３４が連設された構成であってもよい。
【００８１】
また、上記の説明においては、内側底面部４０が側板部１８に連設しているとして説明したが、内側底面部４０は側板部１２〜１６のいずれかの下端から連設されていてもよく、その場合、内側底面部４０が連設した側板部の一方の側に隣接する側板部の下端から折れ線を介して片部３６が連設され、また、内側底面部４０が連設された側板部に相対する側板部の下端から折れ線を介して片部３２が連設され、また、内側底面部４０が連設された側板部の他方の側に隣接する側板部の下端から折れ線を介して片部３４が連設されることになる。また、同様に、上記の説明においては、内側底面部１４０が側板部１１８に連設しているとして説明したが、内側底面部１４０は側板部１１２〜１１６のいずれかの下端から連設されていてもよく、その場合、内側底面部１４０が連設した側板部の一方の側に隣接する側板部の下端から折れ線を介して片部１３６が連設され、また、内側底面部１４０が連設された側板部に相対する側板部の下端から折れ線を介して片部１３２が連設され、また、内側底面部１４０が連設された側板部の他方の側に隣接する側板部の下端から折れ線を介して片部１３４が連設されることになる。
【図面の簡単な説明】
【００８２】
【図１】実施例１の箱の斜視図である。
【図２】実施例１の箱の底面側を示す斜視図である。
【図３】実施例１の箱の展開状態を示す平面図である。
【図４】実施例１の箱の組立て途中の状態を示す斜視図である。
【図５】実施例２の箱の斜視図である。
【図６】実施例２の箱の展開状態を示す平面図である。
【図７】従来における箱の例を示す説明図である。
【図８】従来における箱の展開状態を示す平面図である。
【符号の説明】
【００８３】
Ａ１、Ａ２  箱
１０、１１０  側面部
１２、１４、１６、１８、１１２、１１４、１１６、１１８  側板部
２０、１２０  糊代部
３０、１３０  外側底面部
３２、３４、３６、１３２、１３４、１３６  片部
３２ａ、３４ａ、３６ａ、１３２ａ、１３４ａ、１３６ａ  基端部
３２ｂ、３２ｃ、３２ｄ、３４ｂ、３６ｂ、１３２ｂ、１３２ｃ、１３２ｄ、１３４ｂ、１３６ｂ  突出部
４０、１４０  内側底面部
５０  蓋部
【図１】
0003111004.tif 000003
【図２】
0003111004.tif 000004
【図３】
0003111004.tif 000005
【図４】
0003111004.tif 000006
【図５】
0003111004.tif 000007
【図６】
0003111004.tif 000008
【図７】
0003111004.tif 000009
【図８】
0003111004.tif 000010